(57)【特許請求の範囲】
【請求項１】
２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で格納されている商品情報格納部と、
商品の効用値を算出する算出式であり、機能が選択されるほど効用値が大きくなり、商品の価格が高いほど効用値が小さくなるように商品の効用値を算出する算出式を格納している算出式格納部と、
前記２以上の各商品情報の効用値を、前記算出式を用いて算出する商品効用値算出部と、
前記商品効用値算出部が算出した２以上の効用値を用いて、時間的に最後の商品情報で特定される商品が選択される尤度または時間的に後の商品情報で特定される商品が選択される尤度が最大になるように、前記２以上の各機能の効用値を含む１以上のパラメータを算出するパラメータ算出部と、
前記１以上のパラメータを用いて、前記２以上の各機能のうちのいずれか１以上の機能の価値を算出する機能価値算出部と、
前記機能価値算出部が算出した１以上の機能の価値を出力する出力部とを具備する商品価値出力装置。
【請求項２】
前記商品情報格納部は、
２以上の機能を有する商品について、２以上の各画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で、前記２以上の画面ごとに格納されており、
前記商品効用値算出部は、
前記２以上の画面ごとに格納されている前記２以上の各商品情報の効用値を、前記２以上の画面ごとに前記算出式を用いて算出し、
前記パラメータ算出部は、
前記商品効用値算出部が算出した前記２以上の画面ごとの２以上の効用値を用いて、前記２以上の画面ごとに時間的に最後の商品情報で特定される商品が選択される尤度または時間的に後の商品情報で特定される商品が選択される尤度が最大になるように、前記２以上の各機能の効用値を含む１以上のパラメータを算出する請求項１記載の商品価値出力装置。
【請求項３】
前記商品情報格納部は、
２以上のユーザにより入力された２以上の商品情報であり、２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で、前記２以上のユーザごとに格納されており、
前記商品効用値算出部は、
前記２以上のユーザごとに格納されている前記２以上の各商品情報の効用値を、前記２以上のユーザごとに前記算出式を用いて算出し、
前記パラメータ算出部は、
前記商品効用値算出部が算出した前記２以上のユーザごとの２以上の効用値を用いて、前記２以上のユーザごとに時間的に最後の商品情報で特定される商品が選択される尤度または時間的に後の商品情報で特定される商品が選択される尤度が最大になるように、前記２以上の各機能の効用値を含む１以上のパラメータを算出する請求項１または請求項２記載の商品価値出力装置。
【請求項４】
２以上の機能を有する商品について、前記２以上の各機能の有無の選択を受け付ける受付部と、
前記選択を受け付ける毎に当該選択を受け付けた際の２以上の機能情報を有する商品情報を取得し、当該商品情報を前記商品情報格納部に蓄積する蓄積部とをさらに具備する請求項１から請求項３いずれか記載の商品価値出力装置。
【請求項５】
前記２以上の画面は、
初期値の価格が最も安くなるように、各機能のデフォルト値が設定されている入力画面と、初期値の価格が最も高くなるように、各機能のデフォルト値が設定されている入力画面とを含む請求項２から請求項４いずれか記載の商品価値出力装置。
【請求項６】
前記受付部が受け付けた前記２以上の各機能の有無の選択を用いて、前記２以上の各機能の選択順位に関する情報である選択順位情報を取得する選択順位情報取得部と、
前記選択順位情報を出力する選択順位情報出力部とをさらに具備する請求項４記載の商品価値出力装置。
【請求項７】
前記選択順位情報出力部は、
前記初期値の価格が最も安くなるように、各機能のデフォルト値が設定されている入力画面に対して、前記受付部が受け付けた前記２以上の各機能の有無の選択の順序を、ユーザが必要とする機能の順序として、前記選択順位情報を出力する請求項６記載の商品価値出力装置。
【請求項８】
前記選択順位情報出力部は、
前記初期値の価格が最も高くなるように、各機能のデフォルト値が設定されている入力画面に対して、前記受付部が受け付けた前記２以上の各機能の有無の選択の順序を、ユーザが不要とする機能の順序として、前記選択順位情報を出力する請求項６記載の商品価値出力装置。
【請求項９】
記憶媒体に、
２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で格納しており、
記憶媒体に、
商品の効用値を算出する算出式であり、機能が選択されるほど効用値が大きくなり、商品の価格が高いほど効用値が小さくなるように商品の効用値を算出する算出式を格納しており、
商品効用値算出部、パラメータ算出部、機能価値算出部および出力部により実現され得る商品価値出力方法であって、
前記商品効用値算出部が、前記２以上の各商品情報の効用値を、前記算出式を用いて算出する商品効用値算出ステップと、
前記パラメータ算出部が、前記商品効用値算出ステップで算出された２以上の効用値を用いて、時間的に最後の商品情報で特定される商品が選択される尤度または時間的に後の商品情報で特定される商品が選択される尤度が最大になるように、前記２以上の各機能の効用値を含む１以上のパラメータを算出するパラメータ算出ステップと、
前記機能価値算出部が、前記１以上のパラメータを用いて、前記２以上の各機能のうちのいずれか１以上の機能の価値を算出する機能価値算出ステップと、
前記出力部が、前記機能価値算出ステップで算出された１以上の機能の価値を出力する出力ステップとを具備する商品価値出力方法。
【請求項１０】
記憶媒体に、
２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で格納しており、
記憶媒体に、
商品の効用値を算出する算出式であり、機能が選択されるほど効用値が大きくなり、商品の価格が高いほど効用値が小さくなるように商品の効用値を算出する算出式を格納しており、
コンピュータを、
前記２以上の各商品情報の効用値を、前記算出式を用いて算出する商品効用値算出部と、
前記商品効用値算出部が算出した２以上の効用値を用いて、時間的に最後の商品情報で特定される商品が選択される尤度または時間的に後の商品情報で特定される商品が選択される尤度が最大になるように、前記２以上の各機能の効用値を含む１以上のパラメータを算出するパラメータ算出部と、
前記１以上のパラメータを用いて、前記２以上の各機能のうちのいずれか１以上の機能の価値を算出する機能価値算出部と、
前記機能価値算出部が算出した１以上の機能の価値を出力する出力部として機能させるためのプログラム。
【発明の詳細な説明】
【技術分野】
【０００１】
本発明は、２以上の機能を有する商品について、１以上の機能の価値を出力する商品価値出力システム等に関するものである。
【背景技術】
【０００２】
近年、科学技術の進歩に伴い、製品・サービスの多機能化が進んでいる。一方で、機能の過剰な盛り込みは、製品・サービスのユーザビリティを低下させる。特に、今後予測されている高齢化社会においては、この影響が著しいと考えられる。
【０００３】
かかる課題に鑑み、消費者を対象としたアンケートデータをもとに機能の価値を定量的に測定する技術がある。この技術は、コンジョイント分析とPSM（Price Sensitivity Measurement）分析である。
【０００４】
コンジョイント分析とは、アンケート画面で仮想的な製品・サービスを被験者に提示し、その製品・サービスに対する好ましさの点数付けや順序付けを質問し、回答データから各機能の価値を評価する分析方法である（非特許文献１参照）。
【０００５】
PSM分析とは、アンケート画面で仮想的な製品・サービスを被験者に提示し、その製品・サービスに対して「高い、安い、高すぎて買えない、安すぎて不安」と感じる価格を質問する。そして、回答結果の集計データから、製品・サービスの理想価格帯等を算出する（非特許文献２参照）。
【先行技術文献】
【非特許文献】
【０００６】
【非特許文献１】フリー百科事典『ウィキペディア（Wikipedia）』、［平成２２年５月８日検索］、インターネット<URL： http://ja.wikipedia.org/wiki/%E3%82%B3%E3%83%B3%E3%82%B8%E3%83%A7%E3%82%A4%E3%83%B3%E3%83%88%E5%88%86%E6%9E%90>
【非特許文献２】最適価格の調査手法［平成２２年５月８日検索］、インターネット<URLhttp://www.systrat.co.jp/theory/method03PSM.html>
【発明の概要】
【発明が解決しようとする課題】
【０００７】
しかしながら、従来の技術であるコンジョイント分析は、多数の機能により構成される製品・サービスを評価対象とする場合には、被験者に膨大な質問を課す必要があるため、被験者の負荷が大きくなり、回答データの信頼性の担保が困難になるという課題がある。
【０００８】
また、PSM分析は、コンジョイント分析と同様に、多数の機能毎の価値を評価するためには被験者に膨大な質問を課す必要がある。そのため、PSM分析は、被験者の負荷が大きくなるという課題がある。また、PSM分析は、機能毎に「高い、安い、高すぎて買えない、安すぎて不安」と感じる価格を答えるのは、一般消費者にとって非常に困難であり、結果が安定しないという課題があった。
【課題を解決するための手段】
【０００９】
本第一の発明の商品価値出力装置は、２以上の機能を有する商品について、画面に対して、２以上の各機能の有無の選択が受け付けられるごとに蓄積された２以上の商品情報であり、各機能を識別する機能識別子と機能の有無と機能の価格を示す価格情報との組である機能情報を２以上有する２以上の商品情報が、機能が選択された順序が識別できる態様で格納されている商品情報格納部と、商品の効用値を算出する算出式であり、機能が選択されるほど効用値が大きくなり、商品の価格が高いほど効用値が小さくなるように商品の効用値を算出する算出式を格納している算出式格納部と、２以上の各商品情報の効用値を、算出式を用いて算出する商品効用値算出部と、商品効用値算出部が算出した２以上の効用値を用いて、時間的に最後の商品情報で特定される商品が選択される尤度または時間的に後の商品情報で特定される商品が選択される尤度が最大になるように、２以上の各機能の効用値を含む１以上のパラメータを算出するパラメータ算出部と、１以上のパラメータを用いて、２以上の各機能のうちのいずれか１以上の機能の価値を算出する機能価値算出部と、機能価値算出部が算出した１以上の機能の価値を出力する出力部とを具備する商品価値出力装置である。
【００１０】
かかる構成により、ユーザに対するアンケートの回答を解析し、商品の機能の価値を算出する場合に、ユーザの回答負荷を削減し、安定した結果を出力できる。
【００１１】
また、本第二の発明の商品価値出力装置は、第一の発明に対して、商品情報格納部は、２以上の機能を有する商品について、２以上の各画面に対して、２以上の各機能の有無の選択が受け付けられるごとに蓄積された２以上の商品情報であり、各機能を識別する機能識別子と機能の有無と機能の価格を示す価格情報との組である機能情報を２以上有する２以上の商品情報が、機能が選択された順序が識別できる態様で、２以上の画面ごとに格納されており、商品効用値算出部は、２以上の画面ごとに格納されている２以上の各商品情報の効用値を、２以上の画面ごとに算出式を用いて算出し、パラメータ算出部は、商品効用値算出部が算出した２以上の画面ごとの２以上の効用値を用いて、２以上の画面ごとに時間的に最後の商品情報で特定される商品が選択される尤度または時間的に後の商品情報で特定される商品が選択される尤度が最大になるように、２以上の各機能の効用値を含む１以上のパラメータを算出する商品価値出力装置である。
【００１２】
かかる構成により、ユーザに対するアンケートの回答を解析し、商品の機能の価値を算出する場合に、ユーザの回答負荷を削減し、より安定した結果を出力できる。
【００１３】
また、本第三の発明の商品価値出力装置は、第一または第二の発明に対して、商品情報格納部は、２以上のユーザにより入力された２以上の商品情報であり、２以上の機能を有する商品について、画面に対して、２以上の各機能の有無の選択が受け付けられるごとに蓄積された２以上の商品情報であり、各機能を識別する機能識別子と機能の有無と機能の価格を示す価格情報との組である機能情報を２以上有する２以上の商品情報が、機能が選択された順序が識別できる態様で、２以上のユーザごとに格納されており、商品効用値算出部は、２以上のユーザごとに格納されている２以上の各商品情報の効用値を、２以上のユーザごとに算出式を用いて算出し、パラメータ算出部は、商品効用値算出部が算出した２以上のユーザごとの２以上の効用値を用いて、２以上のユーザごとに時間的に最後の商品情報で特定される商品が選択される尤度または時間的に後の商品情報で特定される商品が選択される尤度が最大になるように、２以上の各機能の効用値を含む１以上のパラメータを算出する商品価値出力装置である。
【００１４】
かかる構成により、ユーザに対するアンケートの回答を解析し、商品の機能の価値を算出する場合に、複数のユーザの回答を利用することにより、より適切な結果を出力できる。
【００１５】
また、本第四の発明の商品価値出力装置は、第一から第三いずれかの発明に対して、２以上の機能を有する商品について、２以上の各機能の有無の選択を受け付ける受付部と、選択を受け付ける毎に選択を受け付けた際の２以上の機能情報を有する商品情報を取得し、商品情報を商品情報格納部に蓄積する蓄積部とをさらに具備する商品価値出力装置である。
【００１６】
かかる構成により、ユーザに対するアンケートの回答を解析し、商品の機能の価値を算出する場合に、ユーザの回答負荷を削減し、安定した結果を出力できる。
【００１７】
また、本第五の発明の商品価値出力装置は、第二から第四いずれかの発明に対して、２以上の画面は、初期値の価格が最も安くなるように、各機能のデフォルト値が設定されている入力画面と、初期値の価格が最も高くなるように、各機能のデフォルト値が設定されている入力画面とを含む商品価値出力装置である。
【００１８】
かかる構成により、ユーザに対するアンケートの回答を解析し、商品の機能の価値を算出する場合に、ユーザの回答負荷を削減し、より安定した結果を出力できる。
【００１９】
また、本第六の発明の商品価値出力装置は、第四または第五の発明に対して、受付部が受け付けた２以上の各機能の有無の選択を用いて、２以上の各機能の選択順位に関する情報である選択順位情報を取得する選択順位情報取得部と、選択順位情報を出力する選択順位情報出力部とをさらに具備する商品価値出力装置である。
【００２０】
かかる構成により、アンケートの回答をより有効に生かすことができる。
【００２１】
また、本第七の発明の商品価値出力装置は、第六の発明に対して、選択順位情報出力部は、初期値の価格が最も安くなるように、各機能のデフォルト値が設定されている入力画面に対して、受付部が受け付けた２以上の各機能の有無の選択の順序を、ユーザが必要とする機能の順序として、選択順位情報を出力する商品価値出力装置である。
【００２２】
かかる構成により、アンケートの回答をより有効に生かすことができる。
【００２３】
また、本第八の発明の商品価値出力装置は、第六の発明に対して、選択順位情報出力部は、初期値の価格が最も高くなるように、各機能のデフォルト値が設定されている入力画面に対して、受付部が受け付けた２以上の各機能の有無の選択の順序を、ユーザが不要とする機能の順序として、選択順位情報を出力する商品価値出力装置である。
【００２４】
かかる構成により、アンケートの回答をより有効に生かすことができる。
【発明の効果】
【００２５】
本発明による商品価値出力システムによれば、ユーザの回答負荷を削減できる。
【図面の簡単な説明】
【００２６】
【図１】同本実施の形態における商品価値出力システムの概念図
【図２】同商品価値出力システムのブロック図
【図３】同商品価値出力装置の動作について説明するフローチャート
【図４】同端末装置の画面例を示す図
【図５】同価格情報管理表を示す図
【図６】同商品情報管理表を示す図
【図７】同コンピュータシステムの概観図
【図８】同コンピュータシステムのブロック図
【発明を実施するための形態】
【００２７】
以下、商品価値出力システム等の実施形態について図面を参照して説明する。なお、実施の形態において同じ符号を付した構成要素は同様の動作を行うので、再度の説明を省略する場合がある。
【００２８】
（実施の形態１）
本実施の形態において、２以上の機能を有する商品について、２以上の各機能の有無の選択が受け付けられるごとに蓄積された２以上の商品情報であり、各機能識別子とその機能の有無とその機能の価格情報を有する２以上の商品情報が、機能が選択された順序が識別できる態様で格納されている商品情報を用いて、２以上の各商品情報の効用値を推定し、推定した効用値から各機能の価値を出力する商品価値出力システムについて説明する。
【００２９】
図１は、本実施の形態における商品価値出力システムの概念図である。商品価値出力システムは、１以上の端末装置１、および商品価値出力装置２を備える。端末装置１は、ユーザが利用する端末である。端末装置１は、ユーザに対してアンケートを提示し、ユーザからアンケートに対する回答を受け付ける。そして、端末装置１は、当該回答を商品価値出力装置２に送信する。商品価値出力装置２は、ユーザの回答から構成された商品情報を用いて、各機能の価値を出力する。なお、１以上の端末装置１と商品価値出力装置２とは、インターネット等のネットワークで接続されており、通信可能である。
【００３０】
図２は、本実施の形態における商品価値出力システムのブロック図である。
端末装置１は、画面格納部１０、入力受付部１１、画面出力部１２、端末送信部１３、端末受信部１４、端末出力部１５を備える。
【００３１】
商品価値出力装置２は、商品情報格納部２０、算出式格納部２１、受付部２２、蓄積部２３、商品効用値算出部２４、パラメータ算出部２５、機能価値算出部２６、出力部２７、選択順位情報取得部２８、選択順位情報出力部２９を備える。
【００３２】
画面格納部１０は、１以上の画面情報を格納している。画面情報は、ユーザが回答するアンケートのための画面を構成する情報である。ここでのアンケートは、商品を構成する機能を選択するためのアンケートである。なお、機能とは、商品を構成する部品や、オプションや、商品の仕様（カメラの画素数である１０００万画素、８００万画素、５００万画素など）や、商品の種類や、商品の色や材質やメーカなどの商品の属性なども含むと、広く考えても良い。機能とは、商品に関して選択可能な対象という具合に広く解する。つまり、機能は、ユーザが選択可能であり、商品に関することであれば何でも良い。また、商品とは、サービスも含む広い概念である。商品は、販売対象物と言っても良い。また、商品の仕様の選択は、機能の選択と同意義であり、後述する属性の水準の選択とも同意義である。
【００３３】
また、画面とは、２以上の機能を有する商品について、２以上の各機能の有無の選択が受け付けられる画面である。また、画面には、通常、各機能を選択した場合（機能が有る、とした場合）の価格も表示されている。また、画面は、２以上であることが好適である。また、画面は、初期値の価格が最も安くなるように、各機能のデフォルト値が設定されている入力画面と、初期値の価格が最も高くなるように、各機能のデフォルト値が設定されている入力画面とを含むことが好適である。また、画面を構成する画面情報は、例えば、ＨＴＭＬやＸＭＬや、プログラム言語等で記述されている。ただし、画面情報の実現手段は問わない。
【００３４】
画面格納部１０は、不揮発性の記録媒体が好適であるが、揮発性の記録媒体でも実現可能である。画面格納部１０に画面情報が記憶される過程は問わない。例えば、記録媒体を介して画面情報が画面格納部１０で記憶されるようになってもよく、通信回線等を介して送信された画面情報（例えば、商品価値出力装置２から送信された画面情報）が画面格納部１０で記憶されるようになってもよく、あるいは、入力デバイスを介して入力された画面情報が画面格納部１０で記憶されるようになってもよい。
【００３５】
入力受付部１１は、ユーザからの指示や回答等を受け付ける。指示は、例えば、画面を出力する出力指示や、回答を送信する送信指示や、画面を次に送る次画面指示などである。また、回答は、後述する商品情報を構成する情報である。
【００３６】
指示や回答等の入力手段は、キーボードやマウスやメニュー画面によるもの等、何でも良い。入力受付部１１は、キーボード等の入力手段のデバイスドライバーや、メニュー画面の制御ソフトウェア等で実現され得る。
【００３７】
画面出力部１２は、入力受付部１１が出力指示や次画面指示などを受け付けた場合、画面格納部１０から画面情報を読み出し、対応する画面を出力する。
【００３８】
画面出力部１２は、ディスプレイ等の出力デバイスを含むと考えても含まないと考えても良い。画面出力部１２は、出力デバイスのドライバーソフトまたは、出力デバイスのドライバーソフトと出力デバイス等で実現され得る。
【００３９】
ここで、出力とは、ディスプレイへの表示、プロジェクターを用いた投影、外部の装置（表示装置）への送信などを含む概念である。
【００４０】
端末送信部１３は、入力受付部１１が受け付けた回答や商品情報を、商品価値出力装置２に送信する。端末送信部１３は、ユーザが機能の有無を選択し、商品情報を構成する機能情報が変更されるごとに、商品情報を商品価値出力装置２に送信することは好適である。なお、機能の有無の選択とは、１つの機能の有無の選択だけではなく、２以上のうちからの一の機能の選択も含む。端末送信部１３は、通常、無線または有線の通信手段で実現されるが、放送手段で実現されても良い。
【００４１】
端末受信部１４は、商品価値出力装置２から、回答の結果や画面情報などを受信する。端末受信部１４は、通常、無線または有線の通信手段で実現されるが、放送を受信する手段で実現されても良い。
【００４２】
端末出力部１５は、端末受信部１４が受信した回答の結果や、画面情報などを出力する。端末出力部１５は、ディスプレイ等の出力デバイスを含むと考えても含まないと考えても良い。端末出力部１５は、出力デバイスのドライバーソフトまたは、出力デバイスのドライバーソフトと出力デバイス等で実現され得る。
【００４３】
商品情報格納部２０は、２以上の商品情報が、機能が選択された順序が識別できる態様で格納されている。商品情報とは、機能情報を２以上有する情報である。機能情報とは、機能を識別する機能識別子と機能の有無と機能の価格を示す価格情報との組の情報である。商品情報は、２以上の機能を有する商品について、画面に対して、２以上の各機能の有無の選択が受け付けられるごとに蓄積された情報である。
【００４４】
また、ここでの画面とは、商品価値出力装置２と同一の装置の画面でも良いし、異なる装置（例えば、端末装置１）の画面でも良い。
【００４５】
また、機能情報は、機能識別子と価格情報のみでも良い。その場合でも、機能情報は機能識別子で識別される機能を有することを示すこととなり、機能の有無の情報を有する、と解する。
【００４６】
また、機能が選択された順序が識別できる態様とは、少なくとも、時間的に最後の商品情報が、他の商品情報と区別可能であれば良い。つまり、機能が選択された順序が識別できる態様とは、少なくとも一部の機能が選択された相対的な順序が識別できれば良い。また、機能の選択とは、機能が不要であることの入力も含む。また、機能の選択とは、複数の機能や仕様から一の機能や仕様を選択することも含む。ただし、機能が選択された順序が識別できる態様とは、構成されたすべての商品情報の順序が分かるように、記録媒体に時刻順に格納されていたり、商品情報と入力された時刻情報とを対に有していたりすることは好適である。
【００４７】
商品情報格納部２０は、２以上の各画面（後述する問題）に対して、２以上の各機能の有無の選択が受け付けられるごとに蓄積された２以上の商品情報が、機能が選択された順序が識別できる態様で、２以上の画面ごとに格納されていることは好適である。
【００４８】
また、商品情報格納部２０は、２以上のユーザにより入力された２以上の商品情報であり、画面に対して、２以上の各機能の有無の選択が受け付けられるごとに蓄積された２以上の商品情報が、機能が選択された順序が識別できる態様で、２以上のユーザごとに格納されていることは好適である。
【００４９】
さらに、商品情報格納部２０は、２以上の各画面に対して、２以上のユーザにより入力された２以上の商品情報であり、２以上の各機能の有無の選択が受け付けられるごとに蓄積された２以上の商品情報が、機能が選択された順序が識別できる態様で、２以上の画面ごとに、かつ２以上のユーザごとに格納されていることは好適である。
【００５０】
ここで、受け付けとは、商品価値出力装置２での情報の受け付け、有線もしくは無線の通信回線を介して送信された情報の端末装置１からの受信などを含む概念である。
【００５１】
商品情報格納部２０は、不揮発性の記録媒体が好適であるが、揮発性の記録媒体でも実現可能である。商品情報格納部２０に商品情報が記憶される過程は問わない。例えば、記録媒体を介して商品情報が商品情報格納部２０で記憶されるようになってもよく、通信回線等を介して送信された商品情報が商品情報格納部２０で記憶されるようになってもよく、あるいは、入力デバイスを介して入力された商品情報が商品情報格納部２０で記憶されるようになってもよい。
【００５２】
算出式格納部２１は、商品の効用値を算出する算出式を格納している。算出式は、機能が選択されるほど効用値が大きくなり、商品の価格が高いほど効用値が小さくなるように商品の効用値を算出する算出式である。つまり、算出式は、機能の効用値をパラメータとする増加関数であり、商品の価格をパラメータとする減少関数である。算出式の例は、以下の数式１である。なお、効用値とは、価値を示す値であり、絶対的な値でも相対的な値でも良い。
【数１】
0005486409.tif 000002
【００５３】
数式１において、商品の効用値は、Ｕ（製品の総合効用値）である。また、数式１において、機能（数式１等では「属性」）が選択されるほど効用値が大きくなっている。また、商品の価格（ｐ）が高いほど効用値が小さくなっている。なお、数式１等での水準とは、商品の仕様（例えば、カメラの画素数である１０００万画素、８００万画素、５００万画素など）、機能の有無と同意義である。
【００５４】
ただし、算出式の例は、数式１に限らず、数式２でも良い。
【数２】
0005486409.tif 000003
【００５５】
なお、数式１、２における「constant」は定数であり、例えば、「０」である。
【００５６】
算出式格納部２１は、不揮発性の記録媒体が好適であるが、揮発性の記録媒体でも実現可能である。
【００５７】
算出式格納部２１に算出式が記憶される過程は問わない。
【００５８】
受付部２２は、２以上の機能を有する商品について、２以上の各機能の有無の選択を受け付ける。受付部２２は、商品情報（機能の有無の選択の情報）を受信しても良い。また、受付部２２は、画面識別子と商品情報とを受信しても良い。また、受付部２２は、ユーザ識別子と商品情報とを受信しても良い。また、受付部２２は、ユーザ識別子と画面識別子と商品情報とを受信しても良い。画面識別子とは、画面を識別する情報である。画面識別子は、アンケートの問題を識別する問題識別子と言い換えても良い。ユーザ識別子とは、ユーザを識別する情報である。また、受付部２２は、機能の価値を出力する指示である機能価値出力指示をも受け付ける。機能の有無の選択の入力手段は、キーボードやマウスやメニュー画面によるもの等、何でも良い。受付部２２は、キーボード等の入力手段のデバイスドライバーや、メニュー画面の制御ソフトウェア等、または受信手段等で実現され得る。
【００５９】
蓄積部２３は、受付部２２が選択を受け付ける毎に選択を受け付けた際の２以上の機能情報を有する商品情報を取得し、商品情報を商品情報格納部２０に蓄積する。また、蓄積部２３は、受付部２２が受信した商品情報、または商品情報と画面識別子、または商品情報とユーザ識別子、または商品情報と画面識別子とユーザ識別子を商品情報格納部２０に蓄積する。蓄積部２３は、通常、ＭＰＵやメモリ等から実現され得る。蓄積部２３の処理手順は、通常、ソフトウェアで実現され、当該ソフトウェアはＲＯＭ等の記録媒体に記録されている。但し、ハードウェア（専用回路）で実現しても良い。
【００６０】
商品効用値算出部２４は、２以上の各商品情報の効用値を、算出式格納部２１の算出式を用いて算出する。さらに具体的には、商品効用値算出部２４は、算出式格納部２１の算出式に、２以上の各商品情報を代入し、商品情報ごとに効用値を算出する。ここでの効用値は、通常、変数であるパラメータを含む。なお、パラメータは、各機能の効用値または商品の価格を含む。
【００６１】
また、商品効用値算出部２４は、２以上の画面ごと（２以上の問題ごと）に格納されている２以上の各商品情報の効用値を、２以上の画面ごとに算出式を用いて算出することは好適である。また、商品効用値算出部２４は、２以上のユーザごとに格納されている２以上の各商品情報の効用値を、２以上のユーザごとに算出式を用いて算出することは好適である。さらに、商品効用値算出部２４は、２以上の画面ごと、２以上のユーザごとに格納されている２以上の各商品情報の効用値を、２以上の画面ごと、および２以上のユーザごとに算出式を用いて算出することは好適である。
【００６２】
商品効用値算出部２４は、通常、ＭＰＵやメモリ等から実現され得る。商品効用値算出部２４の処理手順は、通常、ソフトウェアで実現され、当該ソフトウェアはＲＯＭ等の記録媒体に記録されている。但し、ハードウェア（専用回路）で実現しても良い。
【００６３】
パラメータ算出部２５は、商品効用値算出部２４が算出した２以上の効用値を用いて、時間的に最後の商品情報で特定される商品が選択される尤度が最大になるように、２以上の各機能の効用値を含む１以上のパラメータを算出する。また、パラメータ算出部２５は、商品効用値算出部２４が算出した２以上の効用値を用いて、時間的に後の商品情報で特定される商品が選択される尤度が、時間的に前の商品情報で特定される商品が選択される尤度よりも大きくなるように、２以上の各機能の効用値を含む１以上のパラメータを算出しても良い。通常、パラメータ算出部２５は、商品効用値算出部２４が算出した２以上の効用値を、尤度を算出する算出式に代入し、尤度関数（対数尤度関数も含む概念である）を取得する。尤度関数の例は、後述する数式３や数式４である。尤度を算出する算出式は、例えば、パラメータ算出部２５が保持している。
【００６４】
さらに具体的には、パラメータ算出部２５は、数式３や数式４に示すような算出式を用いて、尤度Ｌを最大化する１以上のパラメータを算出する。なお、尤度Ｌを最大化する１以上のパラメータを算出する処理は、公知技術（例えば、統計ソフトＲ（青木 繁伸  著「Rによる統計解析」（オーム社）参考）のoptim関数）であるので詳細な説明を省略する。
【数３】
0005486409.tif 000004
【００６５】
なお、数式３において、U1は、時間的に最初の商品情報を用いて構成された商品の効用値であり、U2は、時間的に２番目の商品情報を用いて構成された商品の効用値であり、Unは、時間的に最後の商品情報を用いて構成された商品の効用値である。数式３において尤度Ｌを最大化する１以上のパラメータを算出することは、時間的に最後の商品情報で特定される商品が選択される尤度または時間的に後の商品情報で特定される商品が選択される尤度が最大になるように１以上のパラメータを算出することである。なお、時間的に最初の商品情報とは、初期値の商品情報である。時間的に２番目の商品情報とは、初期値から１つ変化した（１つの機能の有無や選択が変更した）商品情報である。
【００６６】
また、パラメータ算出部２５は、数式４に示すような算出式を用いて、尤度Ｌを最大化する１以上のパラメータを算出しても良い。つまり、パラメータ算出部２５は、時間的に後で取得された商品情報で特定される商品が選択される尤度が、時間的に前に取得された商品情報で特定される商品が選択される尤度よりも大きくなるように、２以上の各機能の効用値を含む１以上のパラメータを算出する。また、数式４は、ある画面k（問題番号kと言っても良い）で得られた商品情報がCk個であった場合（Ck−１回の状態変更操作が行われた場合）、H回の操作毎に区切って尤度を計算する方法である。なお、「H＜＝Ck」である。さらに具体的には、数式４は、着目する商品情報をH回目の商品情報とし、当該H回目の商品情報を含む前のH個の商品情報のいずれかが選択される尤度の中で、着目する商品情報が選択される尤度が最大になるように尤度を算出し、次に、着目するH回目の商品情報を順次ずらしていき、着目する着目する商品情報が選択される尤度が最大になるように尤度を算出していく。そして、複数の尤度を乗算し、画面k（問題番号kと言っても良い）における尤度Ｌを算出する。
【数４】
0005486409.tif 000005
なお、数式４において、ｆ（ｍ）は、上述した効用値ｕ（例えば、数式１や数式２）と同じである。
【００６７】
パラメータ算出部２５は、商品効用値算出部２４が算出した２以上の画面ごとの２以上の効用値を用いて、２以上の画面ごとに時間的に最後の商品情報で特定される商品が選択される尤度または時間的に後の商品情報で特定される商品が選択される尤度が最大になるように、２以上の各機能の効用値を含む１以上のパラメータを算出しても良い。
【００６８】
パラメータ算出部２５は、商品効用値算出部２４が算出した２以上のユーザごとの２以上の効用値を用いて、２以上のユーザごとに時間的に最後の商品情報で特定される商品が選択される尤度または時間的に後の商品情報で特定される商品が選択される尤度が最大になるように、２以上の各機能の効用値を含む１以上のパラメータを算出しても良い。
【００６９】
パラメータ算出部２５は、例えば、公知技術（例えば、統計ソフトRのoptim関数等）を用いて、パラメータを算出する。なお、パラメータは、通常、価格が効用に与える影響を示すパラメータを含む。また、パラメータ算出部２５は、例えば、画面ごとの尤度を算出し、当該画面ごとの尤度の積または対数尤度の和を算出し、当該尤度の積または対数尤度の和が最大になるように１以上のパラメータを算出する。パラメータ算出部２５は、例えば、以下の数式５の対数尤度関数（ln Ltotal）の値（対数尤度の和）が最大になるように、１以上のパラメータを算出する。
【数５】
0005486409.tif 000006
【００７０】
なお、数式５において、ｍは画面数（後述する問題数と同意義）である。
【００７１】
また、パラメータ算出部２５は、例えば、ユーザごとの尤度を算出し、当該ユーザごとの尤度の積または対数尤度の和を算出し、当該尤度の積または対数尤度の和が最大になるように１以上のパラメータを算出しても良い。パラメータ算出部２５は、例えば、以下の数式６の対数尤度関数（ln Lallusers）の値（対数尤度の和）が最大になるように、１以上のパラメータを算出する。
【数６】
0005486409.tif 000007
【００７２】
なお、数式６において、ｎはユーザ数である。
【００７３】
また、パラメータ算出部２５は、例えば、画面ごと、およびユーザごとの尤度を算出し、当該画面ごと、およびユーザごとの尤度の積または対数尤度の和を算出し、当該尤度の積または対数尤度の和が最大になるように１以上のパラメータを算出することは好適である。パラメータ算出部２５は、例えば、以下の数式７の対数尤度関数（ln Ltotalallusers）の値（対数尤度の和）が最大になるように、１以上のパラメータを算出する。
【数７】
0005486409.tif 000008
【００７４】
パラメータ算出部２５は、通常、ＭＰＵやメモリ等から実現され得る。パラメータ算出部２５の処理手順は、通常、ソフトウェアで実現され、当該ソフトウェアはＲＯＭ等の記録媒体に記録されている。但し、ハードウェア（専用回路）で実現しても良い。
【００７５】
機能価値算出部２６は、１以上のパラメータを用いて、２以上の各機能のうちのいずれか１以上の機能の価値を算出する。機能価値算出部２６は、通常、機能の効用値と価格が効用に与える影響を示すパラメータとを用いて機能の価値を算出する。機能価値算出部２６は、例えば、「機能の効用値／価格が効用に与える影響を示すパラメータ」により、機能の価値を算出する。なお、機能の価値は、パラメータと同一でも良い。かかる場合、機能価値算出部２６は、出力対象の機能のパラメータを取り出すだけである。
【００７６】
機能価値算出部２６は、通常、ＭＰＵやメモリ等から実現され得る。機能価値算出部２６の処理手順は、通常、ソフトウェアで実現され、当該ソフトウェアはＲＯＭ等の記録媒体に記録されている。但し、ハードウェア（専用回路）で実現しても良い。
【００７７】
出力部２７は、機能価値算出部２６が算出した１以上の機能の価値を出力する。ここで、出力とは、ディスプレイへの表示、プロジェクターを用いた投影、プリンタへの印字、音出力、外部の装置への送信、記録媒体への蓄積、他の処理装置や他のプログラムなどへの処理結果の引渡しなどを含む概念である。
【００７８】
出力部２７は、ディスプレイやスピーカー等の出力デバイスを含むと考えても含まないと考えても良い。出力部２７は、出力デバイスのドライバーソフトまたは、出力デバイスのドライバーソフトと出力デバイス等で実現され得る。
【００７９】
選択順位情報取得部２８は、受付部２２が受け付けた２以上の各機能の有無の選択を用いて、２以上の各機能の選択順位に関する情報である選択順位情報を取得する。選択順位情報取得部２８は、商品情報格納部２０の２以上の商品情報を用いて、機能が選択された順序に対応する、２以上の各機能の選択順位に関する情報である選択順位情報を取得しても良い。選択順位情報は、選択された順番に列記された機能識別子の集合でも良いし、最初に選択された機能の機能識別子でも良いし、最初から３番目までに選択された３つの機能の機能識別子等でも良い。
【００８０】
選択順位情報取得部２８は、通常、ＭＰＵやメモリ等から実現され得る。選択順位情報取得部２８の処理手順は、通常、ソフトウェアで実現され、当該ソフトウェアはＲＯＭ等の記録媒体に記録されている。但し、ハードウェア（専用回路）で実現しても良い。
【００８１】
選択順位情報出力部２９は、選択順位情報取得部２８が取得した選択順位情報を出力する。選択順位情報出力部２９は、初期値の価格が最も安くなるように、各機能のデフォルト値が設定されている入力画面に対して、受付部２２が受け付けた２以上の各機能の有無の選択の順序（機能有りの選択の順序）を、ユーザが必要とする機能の順序として、選択順位情報を出力しても良い。また、選択順位情報出力部２９は、初期値の価格が最も高くなるように、各機能のデフォルト値が設定されている入力画面に対して、受付部２２が受け付けた２以上の各機能の有無の選択の順序（機能無しの選択の順序）を、ユーザが不要とする機能の順序として、選択順位情報を出力しても良い。
【００８２】
なお、パラメータ算出部２５は、選択順位情報を用いて、パラメータを調整しても良い。つまり、ここでの出力とは、送信でも、画面上への出力でも、パラメータ算出部２５への引き渡しでも良い。
【００８３】
選択順位情報出力部２９は、ディスプレイやスピーカー等の出力デバイスを含むと考えても含まないと考えても良い。選択順位情報出力部２９は、出力デバイスのドライバーソフトまたは、出力デバイスのドライバーソフトと出力デバイス等で実現され得る。
次に、商品価値出力システムの動作について説明する。まず、端末装置１の動作について説明する。端末装置１の入力受付部１１が、ユーザからアンケートの画面を出力する出力指示を受け付ける。次に、画面出力部１２は、入力受付部１１が出力指示を受け付けた場合、画面格納部１０からアンケートの画面に対応する画面情報を読み出し、対応する画面を出力する。そして、入力受付部１１が、ユーザからアンケートの回答を順次受け付ける。アンケートの回答は、商品を構成する機能の有無の選択である。そして、端末送信部１３は、入力受付部１１がアンケートの回答を受け付けるごとに、商品情報を構成し、商品価値出力装置２に送信する。また、アンケートが終了した場合（最後の商品情報を商品価値出力装置２に送信した場合）に、端末受信部１４は、アンケートを終了する旨を商品価値出力装置２から受信する。そして、端末出力部１５は、アンケートを終了する旨を出力する。なお、端末装置１に、商品を構成する２以上の機能の有無を選択する画面が順次出力され、ユーザは順次出力される画面に対して、機能の有無を選択していくことは好適である。かかる場合、通常、端末装置１の端末送信部１３は、画面を識別する画面識別子と商品情報とを対応付けて、商品価値出力装置２に送信する。
【００８４】
次に、商品価値出力装置２の動作について、図３のフローチャートを用いて説明する。なお、図３のフローチャートで説明する処理の前に、１以上のユーザが入力したアンケートの回答（商品情報）を、１以上の端末装置１から受付部２２が受信し、蓄積部２３が商品情報格納部２０に蓄積したとする。つまり、図３のフローチャートにおいて、画面ごと、または／およびユーザごとの商品情報が多数、商品情報格納部２０に格納されている、とする。また、図３のフローチャートにおいて、受付部２２が機能価値出力指示を受け付けた後の処理について説明する。
【００８５】
（ステップＳ３０１）商品効用値算出部２４は、算出式格納部２１に格納されている商品の効用値を算出する算出式を読み出す。
【００８６】
（ステップＳ３０２）商品効用値算出部２４は、カウンタｉに１を代入する。
【００８７】
（ステップＳ３０３）商品効用値算出部２４は、商品情報格納部２０にｉ番目のユーザ識別子が存在するか否かを判断する。ｉ番目のユーザ識別子が存在すればステップＳ３０４に行き、存在しなければステップＳ３１５に行く。なお、ｉ番目のユーザ識別子が存在する、ということは、ｉ番目のユーザのアンケートの回答が存在する、ということである。
【００８８】
（ステップＳ３０４）商品効用値算出部２４は、カウンタｊに１を代入する。
【００８９】
（ステップＳ３０５）商品効用値算出部２４は、ｉ番目のユーザ識別子に対応するｊ番目の画面識別子が存在するか否かを判断する。ｊ番目の画面識別子が存在すればステップＳ３０６に行き、存在しなければステップＳ３１２に行く。なお、ｊ番目の画面識別子が存在する、ということは、ｉ番目のユーザのｊ番目の画面識別子に対応するアンケートの回答が存在する、ということである。
【００９０】
（ステップＳ３０６）商品効用値算出部２４は、カウンタｋに１を代入する。
【００９１】
（ステップＳ３０７）商品効用値算出部２４は、ｉ番目のユーザ識別子、ｊ番目の画面識別子に対応する商品情報であり、時間的に早い方からｋ番目の商品情報が、商品情報格納部２０に存在するか否かを判断する。存在すればステップＳ３０８に行き、存在しなければステップＳ３１１に行く。
【００９２】
（ステップＳ３０８）商品効用値算出部２４は、ｉ番目のユーザ識別子、ｊ番目の画面識別子に対応するｋ番目の商品情報を、商品情報格納部２０から読み出す。
【００９３】
（ステップＳ３０９）商品効用値算出部２４は、ステップＳ３０８で読み出した商品情報を、ステップＳ３０１で読み出した商品の効用値を算出する算出式に代入し、商品の効用値を取得する。そして、商品効用値算出部２４は、ｉ番目のユーザ識別子、ｊ番目の画面識別子、およびｋ番目の商品情報に対応付けて、図示しない記録媒体（主メモリ等の揮発性の記録媒体でも良い）に、商品の効用値を一時蓄積する。
【００９４】
（ステップＳ３１０）商品効用値算出部２４は、カウンタｋを１、インクリメントする。ステップＳ３０７に戻る。
【００９５】
（ステップＳ３１１）商品効用値算出部２４は、カウンタｊを１、インクリメントする。ステップＳ３０５に戻る。
【００９６】
（ステップＳ３１２）パラメータ算出部２５は、自身が保持している算出式を読み出す。この算出式は、尤度を算出する式である。ここで尤度とは、ｉ番目のユーザ識別子、ｊ番目の画面識別子に対応する複数の商品情報の中で、時間的に最後の商品情報で特定される商品が選択される尤度、または時間的に後の商品情報で特定される商品が選択される尤度である。
【００９７】
（ステップＳ３１３）パラメータ算出部２５は、ステップＳ３０９で一時蓄積した商品の効用値（ｉ番目のユーザ識別子、ｊ番目の画面識別子に対応するすべての効用値）を用いて、時間的に最後の商品情報で特定される商品が選択される尤度または時間的に後の商品情報で特定される商品が選択される尤度を取得する。なお、この尤度は、１以上のパラメータ（変数）を含む尤度関数である。そして、パラメータ算出部２５は、ｉ番目のユーザ識別子、ｊ番目の画面識別子に対応付けて、取得した尤度（尤度関数）を、図示しない記憶媒体（主メモリ等の揮発性の記録媒体でも良い）に一時蓄積する。
【００９８】
（ステップＳ３１４）商品効用値算出部２４は、カウンタｉを１、インクリメントする。ステップＳ３０３に戻る。
【００９９】
（ステップＳ３１５）パラメータ算出部２５は、ステップＳ３１３で一時蓄積した尤度を用いて、ｍの画面およびｎ人の全体の尤度を取得する。ここでの尤度は、対数尤度関数の値であり、例えば、上述の数式７の出力値である。
【０１００】
（ステップＳ３１６）パラメータ算出部２５は、ステップＳ３１５で取得した尤度（尤度関数の値）を最大にする１以上のパラメータを取得する。
【０１０１】
（ステップＳ３１７）機能価値算出部２６は、ステップＳ３１６で取得した１以上のパラメータを用いて、１以上の機能の価値を算出する。
【０１０２】
（ステップＳ３１８）出力部２７は、機能価値算出部２６が算出した１以上の機能の価値を出力する。処理を終了する。
【０１０３】
なお、図３のフローチャートにおいて、商品価値出力装置２は、選択順位情報を取得したり、出力したりしなかった。しかし、商品価値出力装置２の選択順位情報取得部２８が選択順位情報を取得し、選択順位情報出力部２９が選択順位情報を出力しても良いことは言うまでもない。
【０１０４】
以下、本実施の形態における商品価値出力システムの具体的な動作について説明する。商品価値出力システムの概念図は図１である。
【０１０５】
今、ユーザが端末装置１から、図４に示す画面から商品（携帯電話）の４つの機能（商品の属性を含む）を選択する、とする。４つの機能のうちの第一の機能は、携帯電話のメーカが海外メーカか国内メーカであるか否かである。海外メーカであれば追加料金は０円であるが、国内メーカを選択した場合は追加料金が５０００円である。また、第二の機能は、ＧＰＳである。第三の機能はカメラである。３２０万画素のカメラを選択した場合の追加料金は１６００円または３２００円、５２０万画素のカメラを選択した場合の追加料金は２６００円または５２００円、８００万画素のカメラを選択した場合の追加料金は４０００円または８０００円、１０００万画素のカメラを選択した場合の追加料金は５０００円または１００００円である。第四の機能は携帯メアド（メールアドレス）を保持するか否かである。携帯メアド（メールアドレス）を保持する場合の追加料金は１０００円、３０００円、７０００円のいずれかである。
【０１０６】
かかる場合、以下の２つの具体例を用いて、主として、商品価値出力装置２の動作について説明する。
（具体例１）
【０１０７】
端末装置１において、図４と同様の画面であり、第一から第六の６つの画面（画面ＩＤ＝１から６）が順に出力され、「ユーザＩＤ＝１」のユーザ（以下、ユーザ１）は、自分の好む商品を構成していく、とする。この商品の構成のための入力が、上述のアンケートへの回答である。また、第一から第六の６つの画面の中には、初期値の価格が最も安くなるように、各機能のデフォルト値が設定されている画面と、初期値の価格が最も高くなるように、各機能のデフォルト値が設定されている画面とを含む。
【０１０８】
また、図５は価格情報管理表であり、第一から第六の画面における各機能の価格の情報を保持している。画面により、各機能の価格を変えている。なお、一の画面は、一の問題に対応する。
【０１０９】
まず、ユーザ１は、アンケートに回答するための指示である出力指示を入力する。すると、端末装置１に第一の画面が出力される。そして、端末送信部１３は、第一の画面の第一の商品情報（商品情報の初期値）を取得する。第一の画面の第一の商品情報を商品情報１１とする。商品情報１１は「ＧＰＳ：０，１０００万画素：０，８００万画素：０，５２０万画素：０，３２０万画素：０，携帯メアド：０」である。そして、端末送信部１３は、ユーザＩＤ＝１、問題番号＝１、商品情報１１、および合計金額＝５０００、を商品価値出力装置２に送信する。なお、「ユーザＩＤ＝１」は、例えば、ユーザ１が商品価値出力装置２と通信を行う前に、商品価値出力装置２にログインする際に入力したユーザＩＤであり、予め端末装置１に格納されている、とする。また、「問題番号＝１」は、画面識別子であり、出力している画面から取得された値である。また、「合計金額＝５０００」は、端末送信部１３または図示しない合計金額算出手段が、商品情報と図５の価格情報管理表から算出した値である。
【０１１０】
そして、商品価値出力装置２の受付部２２は、ユーザＩＤ＝１、問題番号＝１、商品情報１１、および合計金額＝５０００を受信する。次に、蓄積部２３は、ユーザＩＤ＝１、問題番号＝１、商品情報１１、および合計金額＝５０００を商品情報格納部２０に蓄積する。
【０１１１】
次に、ユーザ１は、第一の画面の「カメラ」フィールドから「５２０万画素」を選択する。すると、端末装置１の入力受付部１１は、「５２０万画素」の選択を受け付ける。次に、端末送信部１３は、商品情報１２である「ＧＰＳ：０，１０００万画素：０，８００万画素：０，５２０万画素：１，３２０万画素：０，携帯メアド：０」を構成する。また、端末送信部１３は、「合計金額＝７６００」を算出する。そして、端末送信部１３は、ユーザＩＤ＝１、問題番号＝１、商品情報１２および合計金額＝７６００、を商品価値出力装置２に送信する。
【０１１２】
次に、商品価値出力装置２の受付部２２は、ユーザＩＤ＝１、問題番号＝１、商品情報１２および合計金額＝７６００、を受信する。次に、蓄積部２３は、ユーザＩＤ＝１、問題番号＝１、商品情報１２および合計金額＝７６００、を商品情報格納部２０に蓄積する。
【０１１３】
次に、ユーザ１は、第一の画面の「携帯メアド」フィールドから「有り」を選択する。次に、端末送信部１３は、商品情報１３である「ＧＰＳ：０，１０００万画素：０，８００万画素：０，５２０万画素：１，３２０万画素：０，携帯メアド：１」を構成し、合計金額＝８６００を算出する。そして、端末送信部１３は、ユーザＩＤ＝１、問題番号＝１、商品情報１３および合計金額＝８６００、を商品価値出力装置２に送信する。そして、同様に、ユーザＩＤ＝１、問題番号＝１、商品情報１３および合計金額＝８６００、が商品情報格納部２０に蓄積される。
【０１１４】
次に、ユーザ１は、第一の画面の「決定」ボタンを押下する。そして、端末装置１の入力受付部１１は、次画面指示を受け付ける。そして、画面出力部１２は、第二の画面の画面情報を画面格納部１０から読み出し、出力する。
【０１１５】
次に、端末送信部１３は、第二の画面の第一の商品情報（商品情報の初期値）を取得する。第二の画面の第一の商品情報を商品情報２１とする。商品情報２１は「ＧＰＳ：１，１０００万画素：１，８００万画素：０，５２０万画素：０，３２０万画素：０，携帯メアド：１」である。そして、端末送信部１３は、ユーザＩＤ＝１、問題番号＝２、商品情報２１および合計金額＝２２０００、を商品価値出力装置２に送信する。
【０１１６】
そして、上述した商品価値出力装置２の処理により、ユーザＩＤ＝１、問題番号＝２、商品情報２１および合計金額＝２２０００が商品情報格納部２０に蓄積される。
【０１１７】
次に、ユーザ１は、第二の画面に対して、「ＧＰＳ」フィールド「無し」を選択する。すると、上述した処理により、商品情報格納部２０に、ユーザＩＤ＝１、問題番号＝２、商品情報２２「ＧＰＳ：０，１０００万画素：１，８００万画素：０，５２０万画素：０，３２０万画素：０，携帯メアド：１」および合計金額＝２１０００が蓄積される。
【０１１８】
次に、ユーザ１は、第二の画面に対して、「カメラ」フィールド「５２０万画素」を選択する。すると、上述した処理により、商品情報格納部２０に、ユーザＩＤ＝１、問題番号＝２、商品情報２３「ＧＰＳ：０，１０００万画素：０，８００万画素：０，５２０万画素：１，３２０万画素：０，携帯メアド：１」および合計金額＝１６２００が蓄積される。
【０１１９】
次に、ユーザ１は、第二の画面に対して、「カメラ」フィールド「３２０万画素」を選択する。すると、上述した処理により、商品情報格納部２０に、ユーザＩＤ＝１、問題番号＝２、商品情報２４「ＧＰＳ：０，１０００万画素：０，８００万画素：０，５２０万画素：０，３２０万画素：１，携帯メアド：１」および合計金額＝１４２００が蓄積される。
【０１２０】
次に、ユーザ１は、第二の画面に対して、「カメラ」フィールド「５２０万画素」を選択する。すると、上述した処理により、商品情報格納部２０に、ユーザＩＤ＝１、問題番号＝２、商品情報２５「ＧＰＳ：０，１０００万画素：０，８００万画素：０，５２０万画素：１，３２０万画素：０，携帯メアド：１」および合計金額＝１６２００が蓄積される。
【０１２１】
次に、ユーザ１は、第二の画面の「決定」ボタンを押下する。そして、端末装置１の入力受付部１１は、次画面指示を受け付ける。そして、画面出力部１２は、第三の画面の画面情報を画面格納部１０から読み出し、出力する。
【０１２２】
次に、端末送信部１３は、第三の画面の第一の商品情報（商品情報の初期値）を取得する。第三の画面の第一の商品情報を商品情報３１とする。商品情報３１は「ＧＰＳ：０，１０００万画素：０，８００万画素：０，５２０万画素：０，３２０万画素：０，携帯メアド：０」である。そして、端末送信部１３は、ユーザＩＤ＝１、問題番号＝３、商品情報３１および合計金額＝５０００、を商品価値出力装置２に送信する。
【０１２３】
そして、上述した商品価値出力装置２の処理により、ユーザＩＤ＝１、問題番号＝３、商品情報３１および合計金額＝５０００が商品情報格納部２０に蓄積される。
【０１２４】
次に、ユーザ１は、第三の画面に対して、「カメラ」フィールド「５２０万画素」を選択する。すると、上述した処理により、商品情報格納部２０に、ユーザＩＤ＝１、問題番号＝２、商品情報３２「ＧＰＳ：０，１０００万画素：０，８００万画素：０，５２０万画素：１，３２０万画素：０，携帯メアド：０」および合計金額＝７６００が蓄積される。
【０１２５】
次に、ユーザ１は、第三の画面に対して、「携帯メアド」フィールド「有り」を選択する。すると、上述した処理により、商品情報格納部２０に、ユーザＩＤ＝１、問題番号＝３、商品情報３３「ＧＰＳ：０，１０００万画素：０，８００万画素：０，５２０万画素：１，３２０万画素：０，携帯メアド：１」および合計金額＝１０６００が蓄積される。
【０１２６】
次に、ユーザ１は、第三の画面の「決定」ボタンを押下する。そして、端末装置１の入力受付部１１は、次画面指示を受け付ける。そして、画面出力部１２は、第四の画面の画面情報を画面格納部１０から読み出し、出力する。
【０１２７】
次に、端末送信部１３は、第四の画面の第一の商品情報（商品情報の初期値）を取得する。第四の画面の第一の商品情報を商品情報４１とする。商品情報４１は「ＧＰＳ：１，１０００万画素：１，８００万画素：０，５２０万画素：０，３２０万画素：０，携帯メアド：１」である。そして、端末送信部１３は、ユーザＩＤ＝１、問題番号＝４、商品情報４１および合計金額＝２６０００、を商品価値出力装置２に送信する。
【０１２８】
そして、上述した商品価値出力装置２の処理により、ユーザＩＤ＝１、問題番号＝４、商品情報４１および合計金額＝２６０００が商品情報格納部２０に蓄積される。
【０１２９】
次に、ユーザ１は、第四の画面に対して、「カメラ」フィールド「３２０万画素」を選択する。すると、上述した処理により、商品情報格納部２０に、ユーザＩＤ＝１、問題番号＝４、商品情報４２「ＧＰＳ：１，１０００万画素：０，８００万画素：０，５２０万画素：０，３２０万画素：１，携帯メアド：１」および合計金額＝１９２００が蓄積される。
【０１３０】
次に、ユーザ１は、第四の画面に対して、「カメラ」フィールド「５２０万画素」を選択する。すると、上述した処理により、商品情報格納部２０に、ユーザＩＤ＝１、問題番号＝４、商品情報４３「ＧＰＳ：１，１０００万画素：０，８００万画素：０，５２０万画素：１，３２０万画素：０，携帯メアド：１」および合計金額＝２１２００が蓄積される。
【０１３１】
次に、ユーザ１は、第四の画面に対して、「カメラ」フィールド「３２０万画素」を選択する。すると、上述した処理により、商品情報格納部２０に、ユーザＩＤ＝１、問題番号＝４、商品情報４４「ＧＰＳ：１，１０００万画素：０，８００万画素：０，５２０万画素：０，３２０万画素：１，携帯メアド：１」および合計金額＝１９２００が蓄積される。
【０１３２】
次に、ユーザ１は、第四の画面に対して、「ＧＰＳ」フィールド「無し」を選択する。すると、上述した処理により、商品情報格納部２０に、ユーザＩＤ＝１、問題番号＝４、商品情報４５「ＧＰＳ：０，１０００万画素：０，８００万画素：０，５２０万画素：０，３２０万画素：１，携帯メアド：１」および合計金額＝１６２００が蓄積される。
【０１３３】
次に、ユーザ１は、第四の画面の「決定」ボタンを押下する。そして、端末装置１の入力受付部１１は、次画面指示を受け付ける。そして、画面出力部１２は、第五の画面の画面情報を画面格納部１０から読み出し、出力する。
【０１３４】
次に、端末送信部１３は、第五の画面の第一の商品情報（商品情報の初期値）を取得する。第五の画面の第一の商品情報を商品情報５１とする。商品情報５１は「ＧＰＳ：０，１０００万画素：０，８００万画素：０，５２０万画素：０，３２０万画素：０，携帯メアド：０」である。そして、端末送信部１３は、ユーザＩＤ＝１、問題番号＝５、商品情報５１および合計金額＝５０００、を商品価値出力装置２に送信する。
【０１３５】
次に、ユーザ１は、第四の画面に対して、「カメラ」フィールド「５２０万画素」を選択する。すると、上述した処理により、商品情報格納部２０に、ユーザＩＤ＝１、問題番号＝４、商品情報４３「ＧＰＳ：１，１０００万画素：０，８００万画素：０，５２０万画素：１，３２０万画素：０，携帯メアド：１」および合計金額＝２１２００が蓄積される。
【０１３６】
次に、ユーザ１は、第五の画面に対して、「カメラ」フィールド「５２０万画素」を選択する。すると、上述した処理により、商品情報格納部２０に、ユーザＩＤ＝１、問題番号＝５、商品情報５２「ＧＰＳ：０，１０００万画素：０，８００万画素：０，５２０万画素：１，３２０万画素：０，携帯メアド：０」および合計金額＝１０２００が蓄積される。
【０１３７】
次に、ユーザ１は、第五の画面に対して、「携帯メアド」フィールド「有り」を選択する。すると、上述した処理により、商品情報格納部２０に、ユーザＩＤ＝１、問題番号＝５、商品情報５３「ＧＰＳ：０，１０００万画素：０，８００万画素：０，５２０万画素：１，３２０万画素：０，携帯メアド：１」および合計金額＝１７２００が蓄積される。
【０１３８】
次に、ユーザ１は、第五の画面の「決定」ボタンを押下する。そして、端末装置１の入力受付部１１は、次画面指示を受け付ける。そして、画面出力部１２は、第六の画面の画面情報を画面格納部１０から読み出し、出力する。
【０１３９】
次に、端末送信部１３は、第六の画面の第一の商品情報（商品情報の初期値）を取得する。第六の画面の第一の商品情報を商品情報６１とする。商品情報６１は「ＧＰＳ：１，１０００万画素：１，８００万画素：０，５２０万画素：０，３２０万画素：０，携帯メアド：１」である。そして、端末送信部１３は、ユーザＩＤ＝１、問題番号＝６、商品情報６１および合計金額＝２９０００、を商品価値出力装置２に送信する。
【０１４０】
そして、上述した商品価値出力装置２の処理により、ユーザＩＤ＝１、問題番号＝６、商品情報６１および合計金額＝２９０００が商品情報格納部２０に蓄積される。
【０１４１】
次に、ユーザ１は、第六の画面に対して、「ＧＰＳ」フィールド「無し」を選択する。すると、上述した処理により、商品情報格納部２０に、ユーザＩＤ＝１、問題番号＝６、商品情報６２「ＧＰＳ：０，１０００万画素：１，８００万画素：０，５２０万画素：０，３２０万画素：０，携帯メアド：１」および合計金額＝２２０００が蓄積される。
【０１４２】
次に、ユーザ１は、第六の画面に対して、「カメラ」フィールド「３２０万画素」を選択する。すると、上述した処理により、商品情報格納部２０に、ユーザＩＤ＝１、問題番号＝６、商品情報６３「ＧＰＳ：０，１０００万画素：０，８００万画素：０，５２０万画素：０，３２０万画素：１，携帯メアド：１」および合計金額＝１８６００が蓄積される。
【０１４３】
次に、ユーザ１は、第六の画面の「決定」ボタンを押下する。そして、端末装置１の入力受付部１１は、終了指示を受け付け、アンケートの回答を終了する。
【０１４４】
以上の処理により、商品価値出力装置２の商品情報格納部２０には、図６に示す商品情報管理表が蓄積された。商品情報管理表は、「ユーザＩＤ」「問題番号」「商品情報ＩＤ」「商品情報」「合計金額」を有するレコードを１以上管理している。「商品情報」は「ＧＰＳ」「カメラ」「携帯メアド」の属性を有する。「カメラ」は、「１０００万画素」「８００万画素」「５２０万画素」「３２０万画素」のいずれか一つが「１」で他が「０」、またはすべてが「０」の値を採る。「ＧＰＳ」および「携帯メアド」は「０」または「１」の値を採る。なお、「携帯メアド」とは、携帯のメールアドレスのことである。
【０１４５】
次に、かかる状況において、商品価値出力装置２のユーザは、ＧＰＳ機能の価値を出力させるために、「ＧＰＳ」（または「ＧＰＳ」を特定する機能識別子）を含む機能価値出力指示を、商品価値出力装置２に入力した、とする。すると、商品価値出力装置２の受付部２２は、機能価値出力指示を受け付ける。
【０１４６】
次に、商品価値出力装置２の商品効用値算出部２４は、算出式格納部２１に格納されている商品の効用値を算出する算出式である数式１を読み出す。なお、数式１において、ここでは、xijは「１」または「０」、constantは「０」である、とする。
【０１４７】
そして、商品効用値算出部２４、およびパラメータ算出部２５は、図６の商品情報管理表から、ユーザごと、問題（画面）ごとに、尤度関数（ここでは、数式４）を取得する。
【０１４８】
つまり、商品効用値算出部２４、パラメータ算出部２５は、「ユーザＩＤ＝１」のユーザの問題番号「１」の尤度関数「Ｌ１」から取得する。
【０１４９】
まず、商品効用値算出部２４は、画面（問題）の商品情報ＩＤ「１１」の商品情報を読み出す。
【０１５０】
次に、商品効用値算出部２４は、読み出した商品情報１１を、数式１に代入し、商品の効用値を取得する。ここで、商品効用値算出部２４は、商品情報１１の効用価値「−5000b」を算出し、一時蓄積する。ここでの商品の効用価値は変数「b」を有する。
【０１５１】
次に、商品効用値算出部２４は、図６の商品情報管理表の商品情報１２を、数式１に代入し、商品情報１２の効用価値「ac520−7600b」を算出し、一時蓄積する。なお、「ac520」は、５２０万画素の効用値である。また、ここでの商品の効用価値は変数「ac520」「b」を有する。
【０１５２】
同様に、商品効用値算出部２４は、図６の商品情報管理表の商品情報１３を、数式１に代入し、商品情報１３の効用価値「ac520＋am−7600b」を算出し、一時蓄積する。なお、「am」は、携帯メアドの効用値である。また、ここでの商品の効用価値は変数「ac520」「am」「b」を有する。
【０１５３】
パラメータ算出部２５は、自身が保持している尤度を算出する式（数式４）を読み出す。
【０１５４】
そして、パラメータ算出部２５は、一時蓄積した商品の効用値（商品情報１１、商品情報１２、および商品情報１３の効用価値）を用いて、時間的に最後の商品情報で特定される商品が選択される尤度または時間的に後の商品情報で特定される商品が選択される尤度を取得する。つまり、パラメータ算出部２５は、「Ｌ１＝exp（ac520＋am−7600b）／（exp（−5000b）＋exp（ac520−7600b ）＋exp（ac520＋am−7600b））」を取得し、図示しない記録媒体に一時蓄積する。
【０１５５】
次に、商品効用値算出部２４、パラメータ算出部２５は、「ユーザＩＤ＝１」のユーザの問題番号「２」の尤度関数「Ｌ２」を取得する。
【０１５６】
つまり、まず、商品効用値算出部２４は、問題番号ＩＤ「２」の商品情報ＩＤ「２１」の商品情報を読み出す。
【０１５７】
次に、商品効用値算出部２４は、読み出した商品情報２１を、数式１に代入し、商品の効用値を取得する。ここで、商品効用値算出部２４は、商品情報２１の効用価値「aG＋ac1000＋am−22000b」を算出し、一時蓄積する。ここでの商品の効用価値は変数「aG」「ac1000」「am」「b」を有する。「am」は、ＧＰＳの効用値である。また、「ac1000」は、１０００万画素のカメラの効用値である。
【０１５８】
次に、商品効用値算出部２４は、商品情報２２を読み出し、数式１に代入し、商品情報２２の効用価値「ac1000＋am−21000b」を算出し、一時蓄積する。
【０１５９】
次に、商品効用値算出部２４は、商品情報２３を読み出し、数式１に代入し、商品情報２３の効用価値「ac520＋am−16200b」を算出し、一時蓄積する。
【０１６０】
次に、商品効用値算出部２４は、商品情報２４を読み出し、数式１に代入し、商品情報２４の効用価値「ac320＋am−14200b」を算出し、一時蓄積する。
【０１６１】
次に、商品効用値算出部２４は、商品情報２５を読み出し、数式１に代入し、商品情報２５の効用価値「ac520＋am−16200b」を算出し、一時蓄積する。
【０１６２】
次に、パラメータ算出部２５は、自身が保持している尤度を算出する式（数式４）を読み出す。
【０１６３】
そして、パラメータ算出部２５は、一時蓄積した商品の効用値（商品情報２１から商品情報２５の効用価値）を用いて、時間的に後で取得された商品情報で特定される商品が選択される尤度が、時間的に前に取得された商品情報で特定される商品が選択される尤度よりも大きくなるように、２以上の各機能の効用値を含む１以上のパラメータを算出する。つまり、パラメータ算出部２５は、「Ｌ２＝（exp（ac520＋am−16200b）／（exp（aG＋ac1000＋am−22000b）＋exp（ac1000＋am−21000b）＋exp（ac520＋am−16200b）））＊（exp（ac320＋am−14200b）／（exp（ac1000＋am−21000b）＋exp（ac520＋am−16200b）＋exp（ac320＋am−14200b）））＊（exp（ac520＋am−16200b）／（exp（ac520＋am−16200b）＋exp（ac320＋am−14200b）＋exp（ac520＋am−16200b）））」を取得し、図示しない記録媒体に一時蓄積する。
【０１６４】
同様に、次に、商品効用値算出部２４、パラメータ算出部２５は、「ユーザＩＤ＝１」のユーザの問題番号「３」の尤度関数「Ｌ３」を取得する。
【０１６５】
つまり、まず、商品効用値算出部２４は、商品情報３１を読み出し、数式１に代入し、商品情報３１の効用価値「−5000b」を算出し、一時蓄積する。
【０１６６】
次に、商品効用値算出部２４は、商品情報３２を読み出し、数式１に代入し、商品情報３２の効用価値「ac520−7600b」を算出し、一時蓄積する。
【０１６７】
次に、商品効用値算出部２４は、商品情報３３を読み出し、数式１に代入し、商品情報３３の効用価値「ac520＋am−10600b」を算出し、一時蓄積する。
【０１６８】
そして、パラメータ算出部２５は、数式４に一時蓄積した商品の効用値（商品情報３１から商品情報３３の効用価値）を代入し、「Ｌ３＝（exp（ac520＋am−10600b）／（exp（−5000b）＋exp（ac520−7600b）＋exp（ac520＋am−10600b）））」を取得し、図示しない記録媒体に一時蓄積する。
【０１６９】
同様に、次に、商品効用値算出部２４、パラメータ算出部２５は、「ユーザＩＤ＝１」のユーザの問題番号「４」の尤度関数「Ｌ４＝（exp（aG＋ac520＋am−21200b）／（exp（aG＋ac1000＋am−26000b）＋exp（aG＋ac320＋am−19200b）＋exp（aG＋ac520＋am−21200b）））＊（exp（aG＋ac320＋am−19200b）／（exp（aG＋ac320＋am−19200b）＋exp（aG＋ac520＋am−21200b）＋exp（aG＋ac520＋am−19200b）））＊（exp（ac320＋am−16200b）／（exp（aG＋ac520＋am−19200b）＋exp（aG＋ac320＋am−19200b）＋exp（ac320＋am−16200b）））」を取得し、図示しない記録媒体に一時蓄積する。
【０１７０】
同様に、次に、商品効用値算出部２４、パラメータ算出部２５は、「ユーザＩＤ＝１」のユーザの問題番号「５」の尤度関数「Ｌ５＝（exp（ac520＋am−17200b）／（exp（−5000b）＋exp（ac520−10200b）＋exp（ac520＋am−17200b）））」を取得し、図示しない記録媒体に一時蓄積する。
【０１７１】
同様に、次に、商品効用値算出部２４、パラメータ算出部２５は、「ユーザＩＤ＝１」のユーザの問題番号「６」の尤度関数「Ｌ６＝（exp（ac320＋am−18600b）／（exp（aG＋ac1000＋am−29000b）＋exp（ac1000＋am−22000b）＋exp（ac320＋am−18600b）））」を取得し、図示しない記録媒体に一時蓄積する。
【０１７２】
次に、パラメータ算出部２５は、Ｌ１からＬ６を数式５に代入して、lnLtotal（対数尤度関数）を最大にするパラメータベクトル（aG，ac1000， ac800，ac520，ac320，am，b）を取得する。パラメータ算出部２５は、例えば、統計ソフトRのoptim関数により、lnLtotal（対数尤度関数）を最大にするパラメータベクトル（aG，ac1000， ac800，ac520，ac320，am，b）＝（0.6，0.43，0.48，0.30，0.42，0.86，0.000071）を得た、とする。
【０１７３】
次に、機能価値算出部２６は、パラメータベクトルのうちのaGおよびbを用いて、「ＧＰＳの効用値／価格が効用に与える影響を示すパラメータ」により、「0.6／0.000071≒８４５０」を取得する。つまり、ＧＰＳの価格「８４５０円」が取得された。
【０１７４】
次に、出力部２７は、ＧＰＳの価格「８４５０円」を出力する。
（具体例２）
【０１７５】
具体例２では、端末装置１において、第一の画面のみが出力され、「ユーザＩＤ＝１」のユーザ（以下、ユーザ１）は、自分の好む商品を構成していった、とする。そして、具体例１で説明した処理により、商品価値出力装置２の商品情報格納部２０には、図６に示す商品情報管理表のうちの問題番号「１」のレコードのみ（３レコード）が蓄積された、とする。
【０１７６】
次に、かかる状況において、商品価値出力装置２のユーザは、ＧＰＳ機能の価値を出力させるために、「ＧＰＳ」（または「ＧＰＳ」を特定する機能識別子）を含む機能価値出力指示を、商品価値出力装置２に入力した、とする。すると、商品価値出力装置２の受付部２２は、機能価値出力指示を受け付ける。
【０１７７】
次に、商品効用値算出部２４、およびパラメータ算出部２５は、上述した処理を行い、「ユーザＩＤ＝１」のユーザの問題番号「１」の尤度関数「Ｌ１」を取得する。尤度関数「Ｌ１」は、上述したように「Ｌ１＝exp（ac520＋am−7600b）／（exp（−5000b）＋exp（ac520−7600b ）＋exp（ac520＋am−7600b））」である。
【０１７８】
次に、パラメータ算出部２５は、Ｌ１を数式５に代入して、「lnLtotal＝Ｌ１」を得る。そして、Ｌ１を最大にするパラメータベクトル（aG，ac1000，ac800，ac520，ac320，am，b）を取得する。パラメータ算出部２５は、例えば、統計ソフトRのoptim関数により、lnLtotal（対数尤度関数）を最大にするパラメータベクトル（aG，ac1000，ac800，ac520，ac320，am，b）を得る。
【０１７９】
次に、機能価値算出部２６は、パラメータベクトルのうちのaGおよびbを用いて、「aG／b」により、ＧＰＳの価格を算出する。そして、出力部２７は、ＧＰＳの価格を出力する。
【０１８０】
以上、本実施の形態によれば、ユーザの回答負荷を削減しつつ、商品の機能の価値を出力できる。また、本実施の形態によれば、ユーザに対するアンケートの回答を解析し、商品の機能の価値を算出する場合に、ユーザの回答負荷を削減し、安定した結果を出力できる。
【０１８１】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における商品価値出力装置を実現するソフトウェアは、以下のようなプログラムである。つまり、このプログラムは、記憶媒体に、２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で格納しており、記憶媒体に、商品の効用値を算出する算出式であり、機能が選択されるほど効用値が大きくなり、商品の価格が高いほど効用値が小さくなるように商品の効用値を算出する算出式を格納しており、コンピュータを、前記２以上の各商品情報の効用値を、前記算出式を用いて算出する商品効用値算出部と、前記商品効用値算出部が算出した２以上の効用値を用いて、時間的に最後の商品情報で特定される商品が選択される尤度または時間的に後の商品情報で特定される商品が選択される尤度が最大になるように、前記２以上の各機能の効用値を含む１以上のパラメータを算出するパラメータ算出部と、前記１以上のパラメータを用いて、前記２以上の各機能のうちのいずれか１以上の機能の価値を算出する機能価値算出部と、前記機能価値算出部が算出した１以上の機能の価値を出力する出力部として機能させるためのプログラム、である。
【０１８２】
また、上記プログラムにおいて、記憶媒体に、２以上の機能を有する商品について、２以上の各画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で、前記２以上の画面ごとに格納されており、前記商品効用値算出部は、前記２以上の画面ごとに格納されている前記２以上の各商品情報の効用値を、前記２以上の画面ごとに前記算出式を用いて算出し、前記パラメータ算出部は、前記商品効用値算出部が算出した前記２以上の画面ごとの２以上の効用値を用いて、前記２以上の画面ごとに時間的に最後の商品情報で特定される商品が選択される尤度または時間的に後の商品情報で特定される商品が選択される尤度が最大になるように、前記２以上の各機能の効用値を含む１以上のパラメータを算出するものとして、コンピュータを機能させることは好適である。
【０１８３】
また、上記プログラムにおいて、記憶媒体に、２以上のユーザにより入力された２以上の商品情報であり、２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で、前記２以上のユーザごとに格納されており、前記商品効用値算出部は、前記２以上のユーザごとに格納されている前記２以上の各商品情報の効用値を、前記２以上のユーザごとに前記算出式を用いて算出し、前記パラメータ算出部は、前記商品効用値算出部が算出した前記２以上のユーザごとの２以上の効用値を用いて、前記２以上のユーザごとに時間的に最後の商品情報で特定される商品が選択される尤度または時間的に後の商品情報で特定される商品が選択される尤度が最大になるように、前記２以上の各機能の効用値を含む１以上のパラメータを算出するものとして、コンピュータを機能させることは好適である。
【０１８４】
また、上記プログラムにおいて、２以上の機能を有する商品について、前記２以上の各機能の有無の選択を受け付ける受付部と、前記選択を受け付ける毎に当該選択を受け付けた際の２以上の機能情報を有する商品情報を取得し、当該商品情報を前記記憶媒体に蓄積する蓄積部とをさらに具備するものとして、コンピュータを機能させることは好適である。
【０１８５】
また、上記プログラムにおいて、前記２以上の画面は、初期値の価格が最も安くなるように、各機能のデフォルト値が設定されている入力画面と、初期値の価格が最も高くなるように、各機能のデフォルト値が設定されている入力画面とを含むものとして、コンピュータを機能させることは好適である。
【０１８６】
また、上記プログラムにおいて、前記受付部が受け付けた前記２以上の各機能の有無の選択を用いて、前記２以上の各機能の選択順位に関する情報である選択順位情報を取得する選択順位情報取得部と、前記選択順位情報を出力する選択順位情報出力部とをさらに具備するものとして、コンピュータを機能させることは好適である。
【０１８７】
また、上記プログラムにおいて、前記選択順位情報出力部は、前記初期値の価格が最も安くなるように、各機能のデフォルト値が設定されている入力画面に対して、前記受付部が受け付けた前記２以上の各機能の有無の選択の順序を、ユーザが必要とする機能の順序として、前記選択順位情報を出力するものとして、コンピュータを機能させることは好適である。
【０１８８】
また、上記プログラムにおいて、前記選択順位情報出力部は、前記初期値の価格が最も高くなるように、各機能のデフォルト値が設定されている入力画面に対して、前記受付部が受け付けた前記２以上の各機能の有無の選択の順序を、ユーザが不要とする機能の順序として、前記選択順位情報を出力するものとして、コンピュータを機能させることは好適である。
【０１８９】
また、図７は、本明細書で述べたプログラムを実行して、上述した実施の形態の商品価値出力システム等を実現するコンピュータの外観を示す。上述の実施の形態は、コンピュータハードウェア及びその上で実行されるコンピュータプログラムで実現され得る。図７は、このコンピュータシステム３４０の概観図であり、図８は、コンピュータシステム３４０のブロック図である。
【０１９０】
図７において、コンピュータシステム３４０は、ＦＤドライブ、ＣＤ−ＲＯＭドライブを含むコンピュータ３４１と、キーボード３４２と、マウス３４３と、モニタ３４４とを含む。
【０１９１】
図８において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１９２】
コンピュータシステム３４０に、上述した実施の形態の商品価値出力システム等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１９３】
プログラムは、コンピュータ３４１に、上述した実施の形態の商品価値出力システム等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１９４】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１９５】
また、上記プログラムを実行するコンピュータは、単数であってもよく、複数であってもよい。すなわち、集中処理を行ってもよく、あるいは分散処理を行ってもよい。
【０１９６】
また、上記各実施の形態において、一の装置に存在する２以上の通信手段は、物理的に一の媒体で実現されても良いことは言うまでもない。
【０１９７】
また、上記各実施の形態において、各処理（各機能）は、単一の装置（システム）によって集中処理されることによって実現されてもよく、あるいは、複数の装置によって分散処理されることによって実現されてもよい。なお、スタンドアロンで実現された商品価値出力装置は、以下のような構成である。つまり、２以上の機能を有する商品について、画面に対して、前記２以上の各機能の有無の選択が受け付けられるごとに蓄積された２以上の商品情報であり、各機能を識別する機能識別子と当該機能の有無と当該機能の価格を示す価格情報との組である機能情報を２以上有する２以上の商品情報が、機能が選択された順序が識別できる態様で格納されている商品情報格納部と、商品の効用値を算出する算出式であり、機能が選択されるほど効用値が大きくなり、商品の価格が高いほど効用値が小さくなるように商品の効用値を算出する算出式を格納している算出式格納部と、前記２以上の各商品情報の効用値を、前記算出式を用いて算出する商品効用値算出部と、前記商品効用値算出部が算出した２以上の効用値を用いて、時間的に最後の商品情報で特定される商品が選択される尤度または時間的に後の商品情報で特定される商品が選択される尤度が最大になるように、前記２以上の各機能の効用値を含む１以上のパラメータを算出するパラメータ算出部と、前記１以上のパラメータを用いて、前記２以上の各機能のうちのいずれか１以上の機能の価値を算出する機能価値算出部と、前記機能価値算出部が算出した１以上の機能の価値を出力する出力部とを具備する商品価値出力装置である。
本発明は、以上の実施の形態に限定されることなく、種々の変更が可能であり、それらも本発明の範囲内に包含されるものであることは言うまでもない。
【産業上の利用可能性】
【０１９８】
以上のように、本発明にかかる商品価値出力システムは、ユーザの回答負荷を削減し、安定した結果を出力できる、という効果を有し、商品価値出力装置等として有用である。
【符号の説明】
【０１９９】
１  端末装置
２  商品価値出力装置
１１  入力受付部
１２  画面出力部
１３  端末送信部
１４  端末受信部
１５  端末出力部
２０  商品情報格納部
２１  算出式格納部
２２  受付部
２３  蓄積部
２４  商品効用値算出部
２５  パラメータ算出部
２６  機能価値算出部
２７  出力部
２８  選択順位情報取得部
２９  選択順位情報出力部
【図１】
0005486409.tif 000009
【図２】
0005486409.tif 000010
【図３】
0005486409.tif 000011
【図４】
0005486409.tif 000012
【図５】
0005486409.tif 000013
【図６】
0005486409.tif 000014
【図７】
0005486409.tif 000015
【図８】
0005486409.tif 000016